(57)【要約】【課題】この発明は屋外で使用する場合に、気化された薬液を広い範囲に拡散させることができるようにした薬液加熱殺虫装置の屋外設置装置を提供することにある。【解決手段】内部に薬液加熱殺虫装置１が底面を浮かした状態で収容支持され底部に外気を導入する凹部１４が設けられているとともに、上部には加熱気化された薬液を外部に流出させる開口部１６ａが設けられた筒状収容体１１と、筒状収容体を立位状態で保持する保持手段３と、保持手段の上部に筒状収容体の上部の開口部を所定の間隔をもって覆う状態で設けられ筒状収容体の開口部から流出する加熱気化された薬液を周囲に拡散させるとともに、筒状収容体内に雨水が入り込むのを防止する拡散カバー１８を具備する。【選択図】      図１
2011103835.tif 000002
【特許請求の範囲】
【請求項１】
薬液を加熱気化して殺虫する薬液加熱殺虫装置を屋外に設置するための屋外設置装置であって、
内部に上記薬液加熱殺虫装置が底面を浮かした状態で収容支持され底部に外気を導入する導入部が設けられているとともに、上部には加熱気化された薬液を外部に流出させる開口部が設けられた筒状収容体と、
この筒状収容体を立位状態で保持する保持手段と、
この保持手段の上部に上記筒状収容体の上部の開口部を所定の間隔をもって覆う状態で設けられ上記筒状収容体の開口部から流出する加熱気化された上記薬液を周囲に拡散させるとともに、上記筒状収容体内に雨水が入り込むのを防止する拡散カバーと
を具備したことを特徴とする薬液加熱殺虫装置の屋外設置装置。
【請求項２】
上記保持手段には、上記薬液加熱殺虫装置に接続された接続コードと、この接続コードに接続されて上記薬液加熱殺虫装置に給電する給電コードの接続部分を覆う防水カバーが設けられていることを特徴とする請求項１記載の薬液加熱殺虫装置の屋外設置装置。
【発明の詳細な説明】
【技術分野】
【０００１】
この発明は薬液を加熱気化させて殺虫する薬液加熱殺虫装置を屋外に設置するための屋外設置装置に関する。
【背景技術】
【０００２】
最近、一般家庭などでは蚊などの殺虫用具として蚊取り線香に代わり、薬液を加熱気化させて殺虫する薬液加熱殺虫装置が知られている。この種の薬液加熱殺虫装置は特許文献１に示されるように器体を有し、この器体には底面に開放した収容部が形成されていて、この収容部には薬液容器が着脱可能に取着される。
【０００３】
薬液容器には薬液が収容されているとともに、吸液芯が上端部を上面から突出させて密に設けられている。この吸液芯の上端部はリング状の発熱体の空間部に挿通される。上記発熱体は給電されることで温度上昇する。
【０００４】
それによって、上記吸液芯によって吸い上げられた上記薬液容器内の薬液が上記発熱体によって加熱されて気化するから、気化した薬液が上記器体の上面に形成された開口部から流出して周囲の蚊などの虫を殺したり、追う払などの効果を発揮する。
【先行技術文献】
【特許文献】
【０００５】
【特許文献１】特開平９−１８７２０４号公報
【発明の概要】
【発明が解決しようとする課題】
【０００６】
夏季に屋外でパーティーを行うときなどには上記構成の薬液加熱殺虫装置を、たとえばテーブルの近くに置いて使用したいということがある。上記薬液加熱殺虫装置は室内で使用することを前提にして作られている。
【０００７】
そのため、屋外で使用する場合、薬液容器に収容された薬液を吸液芯で吸い上げるとともに、この吸液芯の上端部を発熱体によって加熱して薬液を気化させても、気化した薬液のほとんどは器体の上面に形成された開口部から上方に立ち上り、周囲に広く拡散し難いため、十分な殺虫効果が得られないということがあった。
【０００８】
しかも、使用中や不使用時などに降水があると、雨水が器体の上面に形成された開口部から内部に入り込み、給液芯を濡らしてしまうということがあったり、上記発熱体に給電する電気コードも雨水によって濡れてしまうということがある。
【０００９】
この発明は、薬液加熱殺虫装置を屋外で使用する場合に、加熱気化された薬液が広い範囲に拡散し易くするとともに、雨水によって濡れることがないようにした薬液加熱殺虫装置の屋外設置装置を提供することにある。
【課題を解決するための手段】
【００１０】
この発明は、薬液を加熱気化して殺虫する薬液加熱殺虫装置を屋外に設置するための屋外設置装置であって、
内部に上記薬液加熱殺虫装置が底面を浮かした状態で収容支持され底部に外気を導入する導入部が設けられているとともに、上部には加熱気化された薬液を外部に流出させる開口部が設けられた筒状収容体と、
この筒状収容体を立位状態で保持する保持手段と、
この保持手段の上部に上記筒状収容体の上部の開口部を所定の間隔をもって覆う状態で設けられ上記筒状収容体の開口部から流出する加熱気化された上記薬液を周囲に拡散させるとともに、上記筒状収容体内に雨水が入り込むのを防止する拡散カバーと
を具備したことを特徴とする薬液加熱殺虫装置の屋外設置装置にある。
【００１１】
上記保持手段には、上記薬液加熱殺虫装置に接続された接続コードと、この接続コードに接続されて上記薬液加熱殺虫装置に給電する給電コードの接続部分を覆う防水カバーが設けられていることが好ましい。
【発明の効果】
【００１２】
この発明によれば、薬液加熱殺虫装置を上部に開口部が形成された筒状収容体に収容し、この筒状収容体を保持手段によって立位状態で保持するとともに、筒状収容体の上部の開口部を拡散カバーで覆うようにした。
【００１３】
そのため、薬液加熱殺虫装置によって加熱されて気化した薬液は上記開口部から流出してから拡散カバーにガイドされて周囲に広く拡散するため、広い範囲で殺虫効果を得ることができ、しかも拡散カバーによって雨水が筒状収容体内の薬液加熱殺虫装置を濡らすのを防止することができる。
【図面の簡単な説明】
【００１４】
【図１】この発明の一実施の形態の薬液加熱殺虫装置の屋外設置装置の全体構成を示す断面図。
【図２】屋外設置装置の筒状収容体の拡大断面図。
【図３】（ａ）は給電コードと薬液加熱殺虫装置の接続コードとの接続部分に設けられる防水カバーの拡大断面図、（ｂ）は防水カバーに設けられる円盤の平面図。
【発明を実施するための最良の形態】
【００１５】
以下、この発明の一実施の形態を図面を参照しながら説明する。  
図１は薬液加熱殺虫装置１の屋外設置装置２の全体構成を示し、この屋外設置装置２は保持手段３を備えている。この保持手段３は合成樹脂、金属或いはコンクリートなどによって角錐台状或いは円錐台状に形成されたベース部材４を有する。
【００１６】
上記ベース部材４の上面の一端部には鋼材などの帯状部材によって形成された支柱部材５が立設されている。この支柱部材５は、上記ベース部材４に下端部が埋設された下部支柱片６と、この下部支柱片６の上記ベース部材４の上面から突出した上端部に下端がねじ７によって着脱可能に連結されたＬ字状の上部支柱片８に分割されている。
【００１７】
上記下部支柱片６と上部支柱片８との連結部分には金属や樹脂などの弾力性を有する帯状部材によって平面形状がＣ字状に形成されたバンド部材９の中途部が上記ねじ７によって上記各支持片６，８と一体的に連結固定されている。
【００１８】
上記ベース部材４の上面には上下端が開口した筒状収容体１１が立位状態で設けられている。上記バンド部材９は上記筒状収容体１１の上下方向の中途部の外周面に弾性的に、しかも着脱可能に係合している。それによって、上記筒状収容体１１は上記ベース部材４上で倒伏不能に保持されている。  
すなわち、この実施の形態では上記ベース部材４、支柱部材５及びバンド部材９によって上記保持手段３が構成されている。
【００１９】
図２に拡大して示すように、上記筒状収容体１１の周壁の下端部は内方に向かってＵ字状に折り曲げられて載置片１２に形成されている。さらに、筒状収容体１１の周壁の下端部には複数の凸部１３と凹部１４が周方向に沿って交互に形成されている。
【００２０】
それによって、上記ベース部材４の上面に載置された筒状収容体１１は、上記凹部１４を介して内部空間が外部に連通している。すなわち、上記凹部１４は後述するように筒状収容体１１の内部に外気を導入する導入部を形成している。
【００２１】
上記筒状収容体１１の内部には上記薬液加熱殺虫装置１が下端面を上記載置片１２の上端に載置して収容されている。薬液加熱殺虫装置１は外径寸法が上記筒状収容体１１の内径寸法よりも小さい器体１５を有する。この器体１５の内部には薬液が収容された薬液容器（図示せず）が着脱可能に保持されている。薬液容器の薬液は吸液芯によって吸い上げられて発熱体（図示せず）によって加熱される。それによって気化した薬液は上記器体１５の上面に形成された開口部１５ａから上昇するようになっている。なお、薬液加熱殺虫装置１の構成は特許文献１に示されている構成と同じである。
【００２２】
上記発熱体が吸液芯を加熱して薬液が気化されると、気化した薬液が上記筒状収容体１１の内部を上昇する。筒状収容体１１の内部を上昇した薬液は、図１に矢印で示すように筒状収容体１１の上端に着脱可能に取着された蓋体１６の開口部１６ａから流出する。
【００２３】
薬液が気化して筒状収容体１１内に上昇気流が生じると、筒状収容体１１の内部には底部に形成された凹部１４から外気が流入する。それによって、筒状収容体１１の内部には下方から上方に向かう気流が生じるから、気化した薬液は筒状収容体１１内を円滑に上昇して上記蓋体１６の開口部１６ａから流出することになる。
【００２４】
つまり、筒状収容体１１内に収容された薬液加熱殺虫装置１は、載置片１２によって底面がベース部材４の上面から浮いた状態で支持され、しかも筒状収容体１１の周壁の下端部には筒状収容体１１の内部と外部を連通する凹部１４が形成されているから、気化した薬液が円滑に上昇して蓋体１６の開口部１６ａから流出することになる。
【００２５】
図１に示すように、上記支柱部材５の上部支柱片８の水平部分には、上記筒状収容体１１の上端面を覆う円形状の拡散カバー１８が複数のねじ１９によって取り付けられている。この拡散カバー１８の周辺部は下方に向かって傾斜した傾斜部１８ａが形成されている。
【００２６】
上記筒状収容体１１の上端の蓋体１６の開口部１６ａから上昇する気化した薬液は、図１に矢印で示すように上記拡散カバー１８の下面に沿って流れて拡散し、さらに周辺部に設けられた傾斜部１８ａで下方に向かってガイドされる。それによって、薬液加熱殺虫装置１によって気化された薬液は、拡散カバー１８によって直ちに上方へ流れるのが阻止されて周囲に拡散するから、薬液が作用する殺虫に有効な範囲が拡大されることになる。
【００２７】
上記拡散カバー１８は上記筒状収容体１１の上方を覆っている。そのため、屋外設置装置２によって薬液加熱殺虫装置１が屋外に設置された状態で、雨が降るなどしても、雨水が薬液加熱殺虫装置１の器体１５に形成された開口部１５ａから内部に侵入するのを防止することができる。
【００２８】
上記筒状収容体１１内に収容された薬液加熱殺虫装置１の器体１５の周壁の下部には給電用の接続コード２１の一端が接続されている。この接続コード２１の他端には給電コード２２のメス側プラグ２２ａに連結されるオス側プラグ２１ａが設けられている。上記給電コード２２の他端には図示しないオス側プラグが設けられ、このオス側プラグは商用電源に接続される。それによって、上記給電コード２２と接続コード２１を介して上記薬液加熱殺虫装置１に給電できるようになっている。
【００２９】
上記接続コード２１は、図１と図２に示すように上記筒状収容体１１の下端部に形成された凹部１４から外部に導出されている。この接続コード２１の中途部にはループ部２１ｂが形成され、このループ部２１ｂは上記上部支柱片８の中途部に水平に突設された第１の支持杆２３に係合支持されている。
【００３０】
上記上部支柱片８の上部には第２の支持杆２４が水平に設けられている。この第２の支持杆２４には、下端面が開放した筒状の防水カバー２５が上端に設けられたフック２６を係合させて支持されている。
【００３１】
すなわち、上記防水カバー２５は、図３（ａ）に拡大して示すように上部が細径部２５ａに形成されている。この細径部２５ａにはキャップ２７が螺合され、このキャップ２７に上記フック２６が一体的に設けられている。
【００３２】
上記細径部２５ａの上端とキャップ２７との間には円盤２８が保持される。この円盤２８には図３（ｂ）に示す２つの係合孔２９が形成されていて、この係合孔２９には両端がＵ字状部３１ａに曲成されたフック３１が一方のＵ字状部３１ａを係合させて設けられている。
【００３３】
上記フック３１の他方のＵ字状部３１ａには上記給電コード２２のメス側プラグ２２ａが設けられた端部が屈曲されて係合している。それによって、接続コード２１に設けられたオス側プラグ２１ａと、このオス側プラグ２１ａに接続された給電コード２２のメス側プラグ２２ａは上記防水カバー２５の内部に設けられることになる。それによって、上記オス側プラグ２１ａとメス側プラグ２２ａの接続部分が雨水から保護されるからことになる。
【００３４】
このように構成された薬液加熱殺虫装置１の屋外設置装置２によれば、薬液加熱殺虫装置１をベース部材４の上面に立位状態で保持される筒状収容体１１の内部に設置し、この筒状収容体１１の上方を周辺部に傾斜部１８ａが下方に向かって傾斜して形成された拡散カバー１８で覆うようにした。
【００３５】
そのため、上記薬液加熱殺虫装置１によって加熱気化された薬液が器体１５の開口部１５ａから上昇し、筒状収容体１１の上端に嵌着された蓋体１６の開口部１６ａから流出すると、拡散カバー１８の下面に沿って周囲に拡散されることになる。
【００３６】
そのため、薬液加熱殺虫装置１によって気化された薬液を、その器体１５の開口部１５ａから単に上昇させるだけの場合に比べ、薬液の拡散範囲を拡大させることができる。つまり、気化された薬液により得られる殺虫に有効な範囲を拡大することができ、しかも上記拡散カバー１８の周辺部に下方に向かって傾斜した傾斜部１８ａが形成されていることによっても、拡散範囲を拡大されることになる。
【００３７】
さらに、上記拡散カバー１８は筒状収容体１１の上方を覆っている。そのため、薬液加熱殺虫装置１を屋外に設置した状態で降水があったりしても、上記筒状収容体１１の内部に雨水が浸入するのを防止することもできる。
【００３８】
上記筒状収容体１１の下端部には、その内部と外部を連通する凹部１４が形成されているから、薬液が加熱されて気化し、上記筒状収容体１１内で上昇気流が発生すると、その上昇気流の発生に伴って筒状収容体１１の下端の凹部１４から外気が導入される。
【００３９】
したがって、薬液加熱殺虫装置１によって気化された薬液は凹部１４から導入された外気とともに筒状収容体１１内を円滑に上昇して蓋体１６の開口部１６ａから外部に流出することになる。
【００４０】
上記薬液加熱殺虫装置１の器体１５は上記筒状収容体１１内で載置片１２に支持されている。つまり、器体１５は底面がベース部材４の上面から浮いた状態で支持されている。そのため、ベース部材４の上面が雨水で濡れても、その雨水によって器体１５の下面が濡れることがない。  
つまり、薬液加熱殺虫装置１を屋外設置装置２によって屋外に設置した状態で放置しておいても、薬液加熱殺虫装置１の器体１５下部の接続コード２１の接続部分が雨水に濡れて電気絶縁が損なわれるのを防止できる。
【００４１】
薬液加熱殺虫装置１に給電する接続コード２１と給電コード２２の接続部部分、つまりオス側プラグ２１ａとメス側プラグ２２ａの連結部分は防水カバー２５内に設けられている。そのため、この部分も雨水から確実に保護されることになる。
【００４２】
上記筒状収容体１１の上端に開口部１６ａを有する蓋体１６を取着した。そのため、蓋体に形成される開口部１６ａの大きさを変えることで、開口部１６ａから流出する気化された薬液の流出速度を変えることで、拡散範囲を変えることもできる。
【００４３】
この発明は上記一実施の形態に限られるものでなく、たとえば支柱部材を伸縮自在な構成とし、拡散カバーを高さ調整可能に設けるようにしてもよい。それによって、拡散カバーの下面に衝突する気化された薬液の速度が代わるから、薬液の拡散範囲も変えることができる。  
また、筒状収容体の上端開口に蓋体を設けるようにしたが、蓋体を設けずに開口させても差し支えない。
【符号の説明】
【００４４】
１…薬液加熱殺虫装置、２…屋外設置装置、３…保持手段、４…ベース部材、１１…筒状収容体、１４…凹部（導入部）、１５…器体、１６…蓋体、１６ａ…開口部、１８…拡散カバー、２１…接続コード、２２…給電コード、２５…防水カバー。
【図１】
2011103835.tif 000003
【図２】
2011103835.tif 000004
【図３】
2011103835.tif 000005